(57)【特許請求の範囲】
【請求項１】
被検査体の被検出部位に向かう光を発する発光部と、
前記発光部が発する光が前記被検出部位にて反射された、生体情報を有する光を受ける受光部と、
前記発光部が発する光又は前記生体情報を有する光を反射させる反射部と、
前記発光部又は前記受光部を保護する保護部と、
前記反射部と前記保護部との間に狭持され、前記反射部又は前記保護部の何れか一方の側に前記発光部が配置され、且つ前記反射部又は前記保護部の何れか他方の側に前記受光部が配置される基板と、を含み、
前記保護部は、前記被検査体との接触面を有し、前記保護部は、前記発光部が発する光の波長に対して透明な材料で構成され、さらに赤外線カットフィルターを有し、
前記基板は、前記発光部が発する光の波長に対して透明な材料で構成されることを特徴とする生体情報検出器。
【請求項２】
請求項１において、
前記基板は、光透過領域に対応する第１の面及び前記第１の面と対向する第２の面を有し、
前記第１の面及び前記第２の面の少なくとも一方に光透過膜が形成されることを特徴とする生体情報検出器。
【請求項３】
請求項２において、
前記光透過膜は、前記発光部が発する光を選択的に透過させることを特徴とする生体情報検出器。
【請求項４】
請求項１乃至３の何れかにおいて、
前記反射部は、前記基板に固定され、
前記基板は、フレキシブル基板であり、前記基板の端部は、折り曲げ可能であることを特徴とする生体情報検出器。
【請求項５】
請求項２乃至４の何れかにおいて、
前記基板は粗面部を有し、前記粗面部上には配線および前記光透過膜が配置されていることを特徴とする生体情報検出器。
【請求項６】
請求項１乃至５の何れかにおいて、
前記生体情報検出器を前記被検査体の腕に取り付け可能なリストバンドをさらに含むことを特徴とする生体情報検出器。
【請求項７】
請求項１乃至６の何れかに記載の生体情報検出器と、
前記受光部において生成される受光信号から前記生体情報を測定する生体情報測定部と、を含むことを特徴とする生体情報測定装置。
【請求項８】
請求項７において、
前記生体情報は、脈拍数であることを特徴とする生体情報測定装置。
【発明の詳細な説明】
【技術分野】
【０００１】
本発明は、生体情報検出器及び生体情報測定装置等に関する。
【背景技術】
【０００２】
生体情報測定装置は、例えば人間の脈拍数、血液中の酸素飽和度、体温、心拍数等の生体情報を測定し、生体情報測定装置の一例は、脈拍数を測定する脈拍計である。また、脈拍計等の生体情報測定装置は、時計、携帯電話、ページャー、パーソナルコンピューター等の電子機器に組み込まれてもよく、又は電子機器と組み合わせてもよい。生体情報測定装置は、生体情報を検出する生体情報検出器を有し、生体情報検出器は、被検査体（ユーザー）の被検出部位に向けて光を発光する発光部と、被検出部位からの生体情報を有する光を受光する受光部とを含む。
【０００３】
特許文献１は、脈拍計（広義には、生体情報測定装置）を開示し、脈拍計の受光部（例えば、特許文献１の図１６の受光部１２）は、被検出部位での反射光（例えば、特許文献１の図１６の点線）を拡散反射面（例えば、特許文献１の図１６の反射部１３１）を介して受光する。特許文献１の光プローブ１は、平面視において発光部１１と受光部１２とが重なり、光プローブ１の小型化を図る。
【先行技術文献】
【特許文献】
【０００４】
【特許文献１】特開２００４−３３７６０５号公報
【発明の概要】
【発明が解決しようとする課題】
【０００５】
特許文献１の発光部１１及び受光部１２は、基板１５とともに、反射部１３１の内部に配置され、反射部１３１の内部は、透明材料１４２が充填されている。このような構成では、光プローブ１の小型化を図ることができたとしても、光プローブ１の組み立ては、容易ではない。
【０００６】
本発明の幾つかの態様によれば、容易に組み立て可能な生体情報検出器及び生体情報測定装置を提供できる。
【課題を解決するための手段】
【０００７】
本発明の一態様は、被検査体の被検出部位に向かう光を発する発光部と、
前記発光部が発する光が前記被検出部位にて反射された、生体情報を有する光を受ける受光部と、
前記発光部が発する光又は前記生体情報を有する光を反射させる反射部と、
前記発光部又は前記受光部を保護する保護部と、
前記反射部と前記保護部との間に狭持され、前記反射部又は前記保護部の何れか一方の側に前記発光部が配置され、且つ前記反射部又は前記保護部の何れか他方の側に前記受光部が配置される基板と、を含み、
前記保護部は、前記被検査体との接触面を有し、前記保護部は、前記発光部が発する光の波長に対して透明な材料で構成され、
前記基板は、前記発光部が発する光の波長に対して透明な材料で構成されることを特徴とする生体情報検出器に関係する。
【０００８】
本発明の一態様によれば、基板は、反射部と保護部との間に狭持される。従って、発光部及び受光部が基板に配置されたとしても、基板それ自身を支持する機構を別途設ける必要がなく、部品点数が減少する。また、基板は、発光波長に対して透明な材料で構成されるので、発光部から受光部に至る光路途中に基板を配置でき、基板を光路以外の位置例えば反射部の内部に格納する必要がない。このように、容易に組み立て可能な生体情報検出器を提供することができる。
【０００９】
また、本発明の一態様では、前記基板は、光透過領域に対応する第１の面及び前記第１の面と対向する第２の面を有してもよく、
前記第１の面及び前記第２の面の少なくとも一方に光透過膜が形成されてもよい。
【００１０】
このように、基板が光透過膜で覆われることにより、基板表面の粗面を光透過膜で埋め込んで、その粗面での光の拡散を減少させることができる。言い換えれば、基板の透過率を向上させることができる。従って、受光部又は被検出部位に到達する光量が増加し、生体情報検出器の検出精度はさらに向上する。
【００１１】
また、本発明の一態様では、前記光透過膜は、前記発光部が発する光を選択的に透過させてもよい。
【００１２】
このように、発光部が発する光以外の光（広義には、ノイズ）を低減させることにより、生体情報検出器の検出精度はさらに向上する。
【００１３】
また、本発明の一態様では、前記反射部は、前記基板に固定されてもよく、
前記基板は、フレキシブル基板であってもよく、前記基板の端部は、折り曲げ可能であってもよい。
【００１４】
このように、反射部は基板に固定されるので、容易に組み立て可能な生体情報検出器を提供することができる。また、基板は反射部と保護部との間に狭持されるので、基板自体に剛性がないフレキシブル基板であっても、発光部及び受光部を基板に搭載して支持することができる。さらに、反射部が固定されない基板の端部は、折り曲げ可能であるので、小型な生体情報検出器を提供することができる。
【００１５】
また、本発明の一態様では、生体情報検出器は、赤外線カットフィルターをさらに含んでもよい。
【００１６】
生体（水やヘモグロビン）は、赤外線を透過させ易いので、赤外線カットフィルターにより、外光に起因するノイズ成分を減少させることができる。
【００１７】
また、本発明の一態様では、生体情報検出器は、
前記生体情報検出器を前記被検査体の腕に取り付け可能なリストバンドを
さらに含んでもよい。
【００１８】
このように、被検出部位を被検査体（ユーザー）の腕に設定することができる。
【００１９】
また、本発明の他の態様は、上記に記載の生体情報検出器と、
前記受光部において生成される受光信号から前記生体情報を測定する生体情報測定部と、を含むことを特徴とする生体情報測定装置に関係する。
【００２０】
本発明の他の態様によれば、容易に組み立て可能な生体情報検出器を用いて、生体情報測定装置全体を容易に組み立てることができる。
【００２１】
また、本発明の他の態様では、前記生体情報は、脈拍数であってもよい。
【００２２】
このように、容易に組み立て可能な生体情報測定器を脈拍計に適用することができる。
【図面の簡単な説明】
【００２３】
【図１】図１（Ａ）、図１（Ｂ）は、本実施形態の生体情報検出器の構成例。
【図２】発光部が発する光の強度特性の一例。
【図３】受光部が受ける光の感度特性の一例
【図４】本実施形態の生体情報検出器の他の構成例。
【図５】光透過膜がコーティングされた基板を通る光の透過特性の一例。
【図６】光透過膜の外観例。
【図７】図７（Ａ）、図７（Ｂ）は、赤外線カットフィルターの説明図。
【図８】基板の収納例。
【図９】本実施形態の生体情報検出器の他の構成例。
【図１０】図１０（Ａ）、図１０（Ｂ）、図１０（Ｃ）は、第１の反射部の構成例。
【図１１】図１１（Ａ）、図１１（Ｂ）は、第１の反射部及び発光部の外観例。
【図１２】受光部の外観例。
【図１３】第２の反射部の設定位置の説明図。
【図１４】第２の反射部の設定位置と受光部での受光量との関係図。
【図１５】図１５（Ａ）、図１５（Ｂ）は、生体情報検出器を含む生体情報測定装置の外観例。
【図１６】生体情報測定装置の構成例。
【発明を実施するための形態】
【００２４】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００２５】
１．  生体情報検出器
図１（Ａ）、図１（Ｂ）は、本実施形態の生体情報検出器の構成例を示す。図１（Ａ）、図１（Ｂ）に示されるように、生体情報検出器は、発光部１４、受光部１６、反射部１８及び保護部１９を含む。発光部１４は、被検査体（例えば、ユーザ）の被検出部位Ｏに向かう光Ｒ１を発する。受光部１６は、発光部１４が発する光Ｒ１が被検出部位Ｏにて反射された、生体情報を有する光Ｒ１’（反射光）を受ける。反射部１８は、発光部１４が発する光Ｒ１又は生体情報を有する光Ｒ１’（反射光）を反射させる。反射部１８は、発光部１４と受光部１６との間の光路に設けたドーム面に反射面を有することができる。保護部１９は、発光部１４又は受光部１６を保護する。図１（Ａ）の例において、保護部１９は、発光部１４を保護する。図１（Ｂ）の例において、保護部１９は、受光部１６を保護する。
【００２６】
また、図１（Ａ）、図１（Ｂ）に示されるように、生体情報検出器は、基板１１をさらに含む。基板１１は、反射部１８と保護部１９との間に狭持され、発光部１４は、反射部１８又は保護部１９の何れか一方の側に基板１１に配置され、受光部１６は、反射部１８又は保護部１９の何れか他方の側に基板１１に配置される。図１（Ａ）の例において、受光部１６は、反射部１８の側に基板１１（狭義には、基板１１の第１の面）の上に置かれ、発光部１４は、保護部１９の側に基板１１（狭義には、基板１１の第２の面）の上に置かれる。図１（Ｂ）の例において、発光部１４は、反射部１８の側に基板１１（第１の面）の上に置かれ、受光部１６は、保護部１９の側に基板１１（第２の面）の上に置かれる。保護部１９は、被検査体との接触面を有し、保護部１９は、発光部１４が発する光Ｒ１の波長に対して透明な材料（例えば、ガラス）で構成される。また、基板１１も、発光部１４が発する光Ｒ１の波長に対して透明な材料（例えば、ポリイミド）で構成される。
【００２７】
基板１１は、反射部１８と保護部１９との間に狭持されるので、発光部１４及び受光部１６が基板１１に配置されたとしても、基板１１それ自身を支持する機構を別途設ける必要がなく、部品点数が減少する。また、基板１１は、発光波長に対して透明な材料で構成されるので、発光部１４から受光部１６に至る光路途中に基板１１を配置でき、基板１１を光路以外の位置例えば反射部１８の内部に格納する必要がない。このように、容易に組み立て可能な生体情報検出器を提供することができる。また、反射部１８は、受光部１６又は被検出部位Ｏに到達する光量を増加させることが可能であり、生体情報検出器の検出精度（ＳＮ比）は向上する。
【００２８】
なお、特許文献１では、発光部１１、受光部１２、基板１５及び透明材料１４２を反射部１３１の内部に組み込む必要がある。従って、小型な光プローブ１の組み立ては、容易ではない。また、特許文献１の段落［００４８］によれば、基板１５は、反射部１３１の内部の側を拡散反射面として形成されている。言い換えれば、特許文献１の基板１５は、透明な材料で構成する必要がない。
【００２９】
図１（Ａ）、図１（Ｂ）の例において、被検出部位Ｏ（例えば、血管）は、被検査体の内部にある。第１の光Ｒ１は、被検査体の内部に進み、表皮、真皮及び皮下組織で拡散又は散乱する。その後、第１の光Ｒ１は、被検出部位Ｏに到達し、被検出部位Ｏで反射される。被検出部位Ｏでの反射光Ｒ１’は、皮下組織、真皮及び表皮で拡散又は散乱する。図１（Ａ）では、反射光Ｒ１’は、反射部１８に向かう。図１（Ｂ）では、第１の光Ｒ１は、反射部１８を介して被検出部位Ｏに向かう。なお、第１の光Ｒ１は、血管で部分的に吸収される。従って、脈拍の影響により、血管での吸収率が変化し、被検出部位Ｏでの反射光Ｒ１’の光量も変化する。このように、生体情報（例えば、脈拍数）は、被検出部位Ｏでの反射光Ｒ１’に反映される。
【００３０】
図１（Ａ）の例において、発光部１４は、被検出部位Ｏに第１の光Ｒ１を発し、反射部１８は、被検出部位Ｏにおける第１の光Ｒ１の反射光Ｒ１’を受光部１６に反射させ、受光部１６は、被検出部位Ｏにおける生体情報を有する反射光Ｒ１’を受け取る。図１（Ｂ）の例において、発光部１４は、被検出部位Ｏに第１の光Ｒ１を反射部１８を介して発し、受光部１６は、被検出部位Ｏにおける生体情報を有する第１の光Ｒ１の反射光Ｒ１’を受け取る。
【００３１】
基板１１の厚さは、例えば、１０［μｍ］〜１０００［μｍ］である。基板１１には、発光部１４への配線及び受光部１６への配線を形成することができる。基板１１は、例えばプリント基板であるが、一般には、プリント基板は、例えば特許文献１の基板１５のように、透明な材料で構成されていない。言い換えれば、本発明者らは、プリント基板を少なくとも発光部１４の発光波長に対して透明な材料で構成することをあえて採用した。保護部１９の厚さは、例えば、１［μｍ］〜１０００［μｍ］である。
【００３２】
生体情報検出器の構成例は、図１（Ａ）、図１（Ｂ）によって限定されず、構成例の一部（例えば受光部１６）の形状等は、変更してもよい。また、生体情報は、血液中の酸素飽和度、体温、心拍数等であってもよく、被検出部位Ｏが被検査体の表面ＳＡにあってもよい。図１（Ａ）、図１（Ｂ）の例において、第１の光Ｒ１が１つの線として描かれているが、実際には、発光部１４は、様々な方向に多くの光を発する。
【００３３】
発光部１４は、例えばＬＥＤであり、ＬＥＤが発する光の波長は、例えば４２５［ｎｍ］〜６２５［ｎｍ］の範囲に強度の最大値（広義には、ピーク値）を持ち、例えば緑色の光が発せられる。発光部１４の厚さは、例えば、２０［μｍ］〜１０００［μｍ］である。受光部１６は、例えばフォトダイオードであり、一般的にはＳｉフォトダイオードで構成できる。受光部１６の厚さは、例えば、２０［μｍ］〜１０００［μｍ］である。Ｓｉフォトダイオードが受ける光の波長は、例えば８００［ｎｍ］〜１０００［ｎｍ］の範囲に感度の最大値（広義には、ピーク値）を持つ。好ましくは、受光部１６は、ＧａＡｓＰフォトダイオードで構成され、ＧａＡｓＰフォトダイオードが受ける光の波長は、例えば５５０［ｎｍ］〜６５０［ｎｍ］の範囲に感度の最大値（広義には、ピーク値）を持つ。生体（水やヘモグロビン）は、７００［ｎｍ］〜１１００［ｎｍ］の範囲に含まれる赤外線を透過させ易いので、ＧａＡｓＰフォトダイオードで構成される受光部１６は、例えばＳｉフォトダイオードで構成される受光部１６と比較して、外光に起因するノイズ成分を減少させることができる。
【００３４】
図２は、発光部１４が発する光の強度特性の一例を示す。図２の例において、５２０［ｎｍ］の波長を持つ光の強度が、最大値を示し、その強度で他の波長を持つ光の強度は正規化されている。また、図２の例において、発光部１４が発する光の波長の範囲は、４７０［ｎｍ］〜６００［ｎｍ］である。
【００３５】
図３は、受光部１６が受ける光の感度特性の一例を示す。図３の例において、５６５［ｎｍ］の波長を持つ光の感度が、最大値を示し、その感度で他の波長の持つ光の感度は正規化されている。図３に示される受光部１６が受ける光の波長の感度の最大値は、図２に示される発光部１４が発する光の波長の範囲に入っている一方、生体の窓と呼ばれる７００［ｎｍ］〜１１００［ｎｍ］の範囲に入っていない。図３の例において、７００［ｎｍ］〜１１００［ｎｍ］の範囲に含まれる赤外線の感度は、相対感度０．３（＝３０［％］）以下に設定されている。受光部１６が受ける光の波長の感度の最大値（例えば、５６５［ｎｍ］）は、生体の窓の下限である７００［ｎｍ］よりも、発光部１４が発する光の波長の強度の最大値（５２０［ｎｍ］）の方に近いことが好ましい。
【００３６】
図４は、本実施形態の生体情報検出器の他の構成例を示す。図４に示されるように、基板１１の第１の面（例えば、表面）及び第１の面と対向する第２の面（例えば、裏面）に光透過膜１１−１を形成することができる。また、上述した構成例と同一の構成については同じ符号を付し、その説明を省略する。なお、光透過膜１１−１は、第１の面だけに形成されてもよく、又は、第２の面だけに形成されてもよい。また、図４の例において、光透過膜１１−１は、発光部１４及び受光部１６が配置されていない基板１１の光透過領域に形成される。図４は、図１（Ａ）に対応するが、図１（Ｂ）の基板１１の第１の面及び第２の面の少なくとも一方に光透過膜１１−１が形成されてもよい。光透過膜１１−１は、例えば、ソルダーレジスト（広義には、レジスト）で構成することができる。
【００３７】
図４の例において、発光部１４への配線及び受光部１６への配線は、省略されているが、基板１１上の配線が剥離しないように、基板１１の第１の面及び第２の面は、粗面加工することができる。従って、第１の面及び第２の面に光透過膜１１−１を形成することにより、基板１１の表面の粗面を光透過膜で埋め込んで、基板１１全体の平坦性は、向上する。言い換えれば、基板１１上の光透過膜１１−１は、平坦であるので、光が基板１１を透過する時、基板１１の表面の粗面での光の拡散を減少させることができる。言い換えれば、光透過膜１１−１の存在により、基板１１の透過率が向上する。従って、受光部１６又は被検出部位Ｏに到達する光量が増加し、生体情報検出器の検出精度はさらに向上する。
【００３８】
なお、光透過膜１１−１の屈折率は、空気の屈折率と基板１１の屈折率の間であることが好ましい。さらに、光透過膜１１−１の屈折率は、空気の屈折率よりも、基板１１の屈折率に近い方が好ましい。このような場合、界面での光の反射を減少させることができる。
【００３９】
生体情報検出器は、赤外線カットフィルター１９−１をさらに含むことができる。発光部１４から受光部１６に至る光路に、赤外線カットフィルター１９−１が配置される。図４の例において、赤外線カットフィルター１９−１は、保護部１９の接触面の上に形成される。赤外線カットフィルター１９−１は、例えば赤外線を吸収する材料で保護部１９の接触面をコーティングすることによって、構成することができる。保護部１９がガラスである場合、赤外線カットフィルター１９−１を備える保護部１９は、赤外線カットガラスと呼ぶことができる。赤外線カットフィルター１９−１は、保護部１９の接触面だけでなく、保護部１９の外側の表面全体に形成してもよい。また、赤外線カットフィルター１９−１は、保護部１９の内側の表面全体に形成してもよい。或いは、赤外線カットフィルター１９−１は、保護部１９の接触面の代わりに、基板１１の表面や受光部１６の表面に形成してもよい。生体（水やヘモグロビン）は、赤外線を透過させ易いので、発光部１４から受光部１６に至る光路に配置される赤外線カットフィルター１９−１により、外光に起因するノイズ成分を減少させることができる。
【００４０】
図５は、光透過膜１１−１がコーティングされた基板１１を通る光の透過特性の一例を示す。図５の例において、基板１１を透過する前の光の強度と基板１１を透過した後の光の強度とを用いて、透過率が計算されている。図５の例において、生体の窓の下限である７００［ｎｍ］以下の波長領域において、５２５［ｎｍ］の波長を持つ光の透過率が、最大値を示す。或いは、図５の例において、生体の窓の下限である７００［ｎｍ］以下の波長領域において、光透過膜１１−１を通る光の透過率の最大値は、例えば図２の発光部１４が発する光の波長の強度の最大値の±１０％以内の範囲に入る。このように、光透過膜１１−１は、発光部１４が発する光（例えば、図４の第１の光Ｒ１（狭義には、第１の光Ｒ１の反射光Ｒ１’））を選択的に透過させることが好ましい。光透過膜１１−１の存在により、基板１１の平坦性を向上するとともに、発光部１４又は受光部１６の効率の低下をある程度防止することができる。なお、図５の例で示したように、例えば可視光領域において、５２５［ｎｍ］の波長を持つ光の透過率が最大値（広義には、ピーク値）を示す場合、光透過膜１１−１は、例えば緑色を示す。
【００４１】
図６は、図４の光透過膜１１−１の平面視における外観例を示す。図６に示されるように、（例えば、図４の受光部１６の側の）平面視において、光透過膜１１−１が形成された基板１１は、長方形を示す。図６の例において、基板１１の第１の面（例えば、表面）の上には受光部１６が置かれている。光透過膜１１−１は、受光部１６が置かれていない基板１１の第１の面の領域に形成することができる。
【００４２】
具体的には、基板１１の第１の面の上には、例えば受光部１６のアノードと接続するための配線６１も形成され、また、例えば受光部１６のカソードと接続するための配線６２も形成される。図６の例において、配線６１は、例えばボンディングワイヤ６１−１を介して受光部１６のアノードと接続され、また、配線６２は、受光部１６のカソードと直接接続される。基板１１上に配線６１及び配線６２を形成した後で、基板１１の第１の面の上に光透過膜１１−１を塗布することができる。即ち、光透過膜１１−１は、配線６１及び配線６２の上に形成してもよい。但し、受光部１６並びに配線６１及び配線６２が置かれていない基板１１の領域（光透過領域）だけに、光透過膜１１−１を選択的に塗布してもよい。
【００４３】
その後、基板１１（及び光透過膜１１−１）の上に、反射部１８を形成又は固定することができる。図６に示されるように、平面視において、反射部１８の外形は、四角形を示し、反射部１８の反射面（ドーム面）と基板１１（光透過膜１１−１）との境界１８−１の外形は、円形を示す。また、境界１８−１（円形）の内部における光透過領域だけに、光透過膜１１−１を選択的に塗布してもよい。言い換えれば、受光部１６が受ける光が透過する光透過領域だけに、光透過膜１１−１を選択的に塗布してもよい。
【００４４】
図６の例において、基板１１の第２の面（例えば、裏面）の上には発光部１４が置かれている。第１の面と同様に、光透過膜１１−１は、発光部１４が置かれていない基板１１の第２の面の領域に形成することができる。光透過膜１１−１は、少なくとも光透過領域（発光部１４が発する光が透過する光透過領域）に形成することが好ましい。なお、図６の例において、配線６３は、基板１１の端部１１−２において、第１の面に形成され、基板１１を貫き、第２の面に形成される。配線６４も、基板１１の端部１１−２において、第１の面に形成され、基板１１を貫き、第２の面に形成される。配線６３は、例えばボンディングワイヤ６３−１を介して第２の面側で発光部１４のカソードと接続され、また、配線６４は、例えばボンディングワイヤ６４−１を介して第２の面側で発光部１４のアノードと接続される。また、反射部１８と保護部１９との間に挟持された基板１１の端部１１−２を外部に突出させることで、発光部１４及び受光部１６への配線を容易に外部に取り出すことができる。
【００４５】
図７（Ａ）、図７（Ｂ）は、図４の赤外線カットフィルター１９−１の説明図を示す。図７（Ａ）は、赤外線カットフィルター１９−１が付加されていない保護部１９を通る光の透過特性の一例を示す。図７（Ｂ）は、赤外線カットフィルター１９−１を構成する赤外線吸収材料を通る光の透過特性の一例を示す。図７（Ａ）及び図７（Ｂ）を参照することで、赤外線カットフィルター１９−１の存在により、生体の窓と呼ばれる７００［ｎｍ］〜１１００［ｎｍ］の範囲の光（例えば、外光）の進入を防ぐことができる。なお、赤外線カットフィルター１９−１は、７００［ｎｍ］〜１１００［ｎｍ］の範囲の一部の波長（例えば、７００［ｎｍ］〜８００［ｎｍ］）だけの進入を防いでもよい。
【００４６】
図８は、基板１１の収納例を示す。図８の例において、基板１１は、フレキシブル基板で構成することができる。従って、基板１１の端部１１−２は、折り曲げ可能である。基板１１は、図８で示されるように、基板１１の端部１１−２を折り曲げた状態で、コンピューターのマザーボード（例えば後述する生体情報測定装置を構成する主要な基板）８２に接続することができる。言い換えれば、基板１１を折り曲げることで、小型な生体情報検出器を提供することができる。なお、図８において、光透過膜１１−１は、省略されている。また、発光部１４及び受光部１６も省略されている。発光部１４への配線及び受光部１６への配線は、例えば図６で示すように、基板１１に形成することができ、配線は、コネクター８４を介してマザーボード８２上の制御回路と発光部１４及び受光部１６とを接続することができる。
【００４７】
基板１１は、反射部１８と保護部１９との間に狭持され、これにより、反射部１８は、基板１１に固定される。反射部１８の反射面と基板１１とで形成される空間には、発光部１４又は受光部１６の何れか一方を配置することができる。反射部１８が固定される基板１１は、局所的に折り曲げ不可能である一方、反射部１８が固定されていない基板１１の端部１１−２は、折り曲げ可能である。基板１１は反射部１８と保護部１９との間に狭持されるので、基板１１自体に剛性がないフレキシブル基板であっても、発光部１４及び受光部１６を基板１１に搭載して支持することができる。
【００４８】
図９は、本実施形態の生体情報検出器の他の構成例を示す。図９に示されるように、生体情報検出器は、光を反射させる反射部９２を含むことができる。以下の説明において、反射部９２を第１の反射部と呼び、図１（Ａ）等の反射部１８を第２の反射部と呼ぶ。また、上述した構成例と同一の構成については同じ符号を付し、その説明を省略する。図９の例において、基板１１の上に光透過膜１１−１が形成された後に、第１の反射部９２及び受光部１６が配置されている。
【００４９】
図９の例において、生体情報検出器は、発光部１４、第１の反射部９２、受光部１６及び第２の反射部１８を含む。発光部１４は、被検査体（例えば、ユーザー）の被検出部位Ｏに向かう第１の光Ｒ１及び被検出部位Ｏとは異なる方向（第１の反射部９２）に向かう第２の光Ｒ２を発する。第１の反射部９２は、第２の光Ｒ２を反射させて被検出部位Ｏに導く。受光部１６は、第１の光Ｒ１及び第２の光Ｒ２が被検出部位Ｏにて反射された、生体情報を有する光Ｒ１’、Ｒ２’（反射光）を受ける。第２の反射部１８は、被検出部位Ｏからの生体情報を有する光Ｒ１’、Ｒ２’（反射光）を反射させて受光部１６に導く。第１の反射部９２の存在により、被検査体（ユーザー）の被検出部位Ｏに直接到達しない第２の光Ｒ２も、被検出部位Ｏに到達する。言い換えれば、第１の反射部９２を介して被検出部位Ｏに到達する光量が増加し、発光部１４の効率が高まる。従って、生体情報検出器の検出精度（ＳＮ比）は向上する。
【００５０】
なお、特許文献１は、第２の反射部１８に対応する構成（特許文献１の図１６の反射部１３１）を開示する。具体的には、特許文献１の図１６の受光部１２は、被検出部位での反射光を反射部１３１を介して受光する。しかしながら、特許文献１は、第１の反射部９２に対応する構成を開示していない。言い換えれば、本出願時において、当業者は、特許文献１の図１６の発光部１１の効率を高めることを認識していない。
【００５１】
図９の例において、第２の光Ｒ２は、被検査体の内部に進み、被検出部位Ｏでの反射光Ｒ２’は、第２の反射部１８に向かう。生体情報（脈拍数）は、被検出部位Ｏでの反射光Ｒ２’にも反映される。図９の例において、第１の光Ｒ１は、被検査体の表面（皮膚表面）ＳＡで部分的に反射される。被検出部位Ｏが被検査体の内部にある場合、生体情報（脈拍数）は、被検査体の表面ＳＡでの反射光Ｒ１’’（直接反射光）に反映されない。
【００５２】
図９の例において、発光部１４は、被検出部位Ｏと対向し、第１の光Ｒ１を発する第１の発光面１４Ａを有することができる。また、発光部１４は、第１の発光面１４Ａの側面であって、第２の光Ｒ２を発する第２の発光面１４Ｂをさらに有することができる。この場合、第１の反射部９２は、第２の発光面１４Ｂを囲む壁部を有することができ、この壁部は、第２の光Ｒ２を被検出部位Ｏに向けて反射させる第１の反射面（図１０（Ａ）〜図１０（Ｃ）に示す符号９２−２に対応）を有することができる。なお、第２の光Ｒ２は必ずしも第２の発光面１４Ｂから発せられるものに限らない。要は、第１の反射面（図１０（Ａ）〜図１０（Ｃ）の符号９２−２）は、発光部１４から直接に被検出部位Ｏに向う光以外の光（第２の光Ｒ２）を反射させて、被検出部位Ｏに導くものである。
【００５３】
第１の反射部９２の壁部は、被検査体の表面にて反射された生体情報を有しない光（無効光：ノイズ）を反射させることによって、生体情報を有しない光が受光部１６に入射することを抑制する第２の反射面（図１０（Ａ）及び図１０（Ｃ）に示す符号９２−３に対応）をさらに有することができる。
【００５４】
また、保護部１９は、第１の反射部９２と被検出部位Ｏとの間の隙間（例えばΔｈ２）を確保することができる。さらに、第１の反射部９２と保護部１９との間の隙間（例えばΔｈ２’）も存在する。
【００５５】
断面視において、基板１１の第１の面に平行な方向における第１の反射部９２の長さの最大値をＷ１とし、その方向における受光部１６の長さの最大値をＷ２とすると、Ｗ１≦Ｗ２の関係式を満たすことができる。基板１１は、被検出部位Ｏに発せられる第１の光Ｒ１の反射光Ｒ１’等を透過させる。第１の反射部９２の長さの最大値Ｗ１を受光部１６の長さの最大値Ｗ２以下にすることにより、第２の反射部１８に到達する光量を増加させることができる。言い換えれば、第１の反射部９２が被検出部位Ｏにおける反射光Ｒ１’を遮断または反射しないように、第１の反射部９２の長さの最大値Ｗ１を設定することができる。
【００５６】
図１０（Ａ）、図１０（Ｂ）、図１０（Ｃ）は、図９の第１の反射部９２の構成例を示す。図１０（Ａ）に示されるように、第１の反射部９２は、発光部１４を支持する支持部９２−１と、発光部１４の第２の発光面１４Ｂを囲む壁部の内壁面９２−２及び頂面９２−３と、を有することができる。なお、図１０（Ａ）〜図１０（Ｃ）において、発光部１４は省略されている。図１０（Ａ）の例において、第１の反射部９２は、内壁面９２−２において第２の光Ｒ２を被検出部位Ｏに反射させることができ（図９参照）、内壁面９２−２に第１の反射面を有する。支持部９２−１の厚さは、例えば、５０［μｍ］〜１０００［μｍ］であり、壁部（９２−３）の厚さは、例えば、１００［μｍ］〜１０００［μｍ］である。
【００５７】
図１０（Ａ）の例では、内壁面９２−２は、断面視において、幅方向（第１の方向）にて第１の反射部９２の中心から遠ざかる位置ほど、高さ方向（第１の方向と直交する方向）にて被検出部位Ｏ側に変位する斜面（９２−２）を有する。図１０（Ａ）の斜面（９２−２）は、断面視において、傾斜平面で形成されているが、例えば図１０（Ｃ）で示される湾曲面等の斜面であってもよい。内壁面９２−２は傾斜角度が異なる複数の傾斜平面で形成されてもよく、或いは複数の曲率を持つ湾曲面で形成されてもよい。第１の反射部９２の内壁面９２−２が斜面を有する場合、この第１の反射部９２の内壁面９２−２は、第２の光Ｒ２を被検出部位Ｏに向けて反射させることができる。言い換えれば、この第１の反射部９２の内壁面９２−２の斜面は、発光部１４の指向性を高めた第１の反射面と言うことができる。このような場合、被検出部位Ｏに到達する光量は、さらに増加する。また、図１０（Ａ）、図１０（Ｃ）の頂面９２−３は、例えば図１０（Ｂ）に示されるように省略してもよい。第１の反射部９２が頂面９２−３を有する場合、被検査体の表面ＳＡでの反射光Ｒ１’’（直接反射光）を被検出部位Ｏ又はその周辺に反射させることができ、その反射光Ｒ１’’は、受光部１６に到達することが抑制される（図９参照）。つまり、図１０（Ａ）、図１０（Ｃ）の頂面９２−３は、第２の反射部１８及び受光部１６に到達しようとする直接反射光（広義には、ノイズ）を反射させてノイズを減少させる第２の反射面と言うことができる。なお、図１０（Ａ）〜図１０（Ｃ）では、符号９２−４で示す範囲が鏡面部として機能する。
【００５８】
図９の例において、第１の反射部９２は、被検査体の表面ＳＡとの間の最短距離を規定する発光部１４の面（例えば第１の発光面１４Ａ）を基準として、例えば所与の高さΔｈ１（例えば、Δｈ１＝５０［μｍ］〜９５０［μｍ］）だけ、被検出部位Ｏに向かって突出させてもよい。言い換えれば、発光部１４と被検査体の表面ＳＡとの間の最短距離である隙間（例えばΔｈ０＝Δｈ１＋Δｈ２）よりも、第１の反射部９２と被検査体の表面ＳＡとの間の隙間（例えばΔｈ２＝Δｈ０−Δｈ１＝２００［μｍ］〜１２００［μｍ］）は、小さくすることができる。従って、第１の反射部９２は、例えば発光部１４からの突出量Δｈ１の存在により第１の反射面（９２−２）の面積が増加して、被検出部位Ｏに到達する光量を増加させることができる。また、被検出部位Ｏにおける反射光は、第１の反射部９２と被検査体の表面ＳＡとの間の隙間Δｈ２の存在により、光が被検出部位Ｏより第２の反射部１８に到達する光路を確保することができる。また、第１の反射部９２が第２の反射面（９２−３）を有する場合には、Δｈ１及びΔｈ２を調整することで、生体情報を有する光（有効光）と生体情報を有しない光（無効光：ノイズ）が受光部１６へ入射する量をそれぞれ調整でき、それによりＳ／Ｎをさらに向上させることができる。
【００５９】
図１１（Ａ）、図１１（Ｂ）は、図９の第１の反射部９２及び発光部１４の平面視での外観例を示す。図１１（Ａ）の例では、（例えば、図９の被検出部位Ｏの側の）平面視において、第１の反射部９２の外周は、円を表し、円の直径は、例えば、直径２００［μｍ］〜１１０００［μｍ］である。図１１（Ａ）の例において、第１の反射部９２の壁部（９２−２）は、発光部１４を囲む（図９、図１０（Ａ）参照）。また、第１の反射部９２の外周は、平面視において、例えば図１１（Ｂ）に示すように、四角形（狭義には、正方形）を表してもよい。また、図１１（Ａ）、図１１（Ｂ）の例では、（例えば、図９の被検出部位Ｏの側の）平面視において、発光部１４の外周は、四角形（狭義には、正方形）を表し、正方形の１辺は、例えば、１００［μｍ］〜１００００［μｍ］である。また、発光部１４の外周は、円形を表してもよい。
【００６０】
第１の反射部９２は、それ自身を金属で形成し、その表面を鏡面加工することで、反射構造（狭義には、鏡面反射構造）を有する。なお、第１の反射部９２は、例えば樹脂で形成し、その表面に鏡面加工してもよい。具体的には、例えば、第１の反射部９２の下地金属を準備し、その後、その表面を例えばめっきする。或いは、例えば、熱可塑性樹脂を第１の反射部９２の金型（図示せず）に充填して成形し、その後、その表面に例えば金属膜を蒸着する。
【００６１】
図１１（Ａ）、図１１（Ｂ）の例では、（例えば、図９の被検出部位Ｏの側の）平面視において、第１の反射部９２は、発光部１４を直接支持する領域以外の領域（支持部９２−１の一部、壁部の内壁面９２−２及び頂面９２−３）が露出する。この露出する領域は、図１０（Ａ）の例では、鏡面部９２−４として示されている。なお、図１０（Ａ）の例において、鏡面部９２−４を表す点線は、第１の反射部９２の内側に位置しているが、実際には、鏡面部９２−４は、第１の反射部９２の表面に形成されている。
【００６２】
図１０（Ａ）、図１０（Ｂ）、図１０（Ｃ）の例において、鏡面部９２−４は、高い反射率を有することが好ましい。鏡面部９２−４の反射率は、例えば、８０％〜９０％以上である。また、鏡面部９２−４は、内壁面９２−２の斜面だけに形成することができる。鏡面部９２−４が内壁面９２−２の斜面だけでなく、支持部９２−１にも形成される場合、発光部１４の指向性は、さらに高くなる。鏡面部９２−４が頂面９２−３に形成される場合、この第１の反射部９２は、例えば図９に示されるように、被検査体の表面ＳＡでの反射光Ｒ１’’（直接反射光：無効光）を被検出部位Ｏ又はその周辺に反射させることができ、その反射光Ｒ１’’は、第２の反射部１８及び受光部１６に到達することが抑制される。発光部１４の指向性が高くなり、また、直接反射光（広義には、ノイズ）が減少するので、生体情報検出器の検出精度は向上する。
【００６３】
図１２は、図９の受光部１６の外観例を示す。図１２の例では、（例えば、図９の第２の反射部１８の側の）平面視において、受光部１６の外周は、四角形（狭義には、正方形）を表し、正方形の１辺は、例えば、１００［μｍ］〜１００００［μｍ］である。また、第１の反射部９２の外周は、（例えば、図９の第２の反射部１８の側の）平面視において、円を表す。第１の反射部９２の外周は、図１１（Ｂ）の例のように、四角形（狭義には、正方形）を表してもよい。また、受光部１６の外周は、円形を表してもよい。
【００６４】
図１２の例において、線分Ａ−Ａ’で示されるように、第１の反射部９２の長さの最大値をＷ１とし、受光部１６の長さの最大値をＷ２とすると、Ｗ１≦Ｗ２の関係式を満たすことができる。図１２の線分Ａ-Ａ’を用いた断面図は、図９に対応する。図９の線分Ｂ-Ｂ’を用いた断面図は、第１の反射部９２の長さの最大値Ｗ１は、受光部１６の長さの最小値は、より大きい。第１の反射部９２の長さの最大値Ｗ１は、受光部１６の長さの最小値以下に設定してもよいが、第１の反射部９２の効率（広義には、発光部１４の効率）は、減少する。図１２の例では、発光部１４の効率を維持しながら反射光Ｒ１’を遮断または反射しないように、第１の反射部９２の長さの最大値Ｗ１は、受光部１６の長さの最大値Ｗ２以下に設定し、且つ第１の反射部９２の長さの最大値Ｗ１は、受光部１６の長さの最小値より大きく設定する。
【００６５】
図１３は、図９（又は図１等）の第２の反射部１８の設定位置の説明図である。第２の反射部１８の反射面は、被検出部位Ｏにおける第１の光Ｒ１の反射光Ｒ１’を受光部１６に反射させるように、例えば球面（広義には、ドーム面）で構成することができる。図１３に示されるように、断面視において、第２の反射部１８の反射面は、円弧を表す。円弧の半径は、例えば、１０００［μｍ］〜１５０００［μｍ］である。球面を規定する円弧の中心Ｃは、被検査体の内部に配置される。被検査体の内部に被検出部位Ｏがある場合、被検査体の表面ＳＡでの反射光Ｒ１’’（直接反射光）は、生体情報を有しない無効光である。第２の反射部１８の反射面を球面で構成し、球面を規定する円弧の中心Ｃを被検査体の内部に設定する場合、本発明者らは、第２の反射部１８が被検査体の表面ＳＡでの反射光（広義には、ノイズ）を抑制することを認識した。なお、図１３において、受光部１６の受光面と球面を規定する円弧の中心Ｃとの距離は、Δｈで表されている。
【００６６】
なお、第２の反射部１８の反射面は、球面の代わりに放物面（広義には、ドーム面）で構成してもよい。図１３に示されるように、断面視において、第２の反射部１８の反射面は、円弧を表すが、円弧の代わりに放物線を表してもよい。図１３において、第２の反射部１８の反射面が放物面であると仮定する場合、放物面を規定する放物線の焦点を符号Ｆとして表している。放物面を規定する放物線の焦点Ｆは、受光部１６の受光面を基準として被検査体側に配置される。被検査体の表面ＳＡに垂直な光は、第２の反射部１８の反射面（放物面）で反射し、放物面を規定する放物線の焦点Ｆに収束するので、焦点Ｆを受光部１６の受光面に一致させないことにより、被検査体の表面ＳＡに垂直な光に近い光（例えば、第１の光Ｒ１の反射光Ｒ１’（有効光））が受光部１６の受光面に集まり易くなる。
【００６７】
第２の反射部１８は、例えば樹脂で形成し、その表面（受光部１６側の反射面）に鏡面加工することで、反射構造（狭義には、鏡面反射構造）を有する。言い換えれば、第２の反射部１８は、光を拡散反射させずに、光を鏡面反射させることができる。第２の反射部１８が鏡面反射構造を有する場合、この第２の反射部１８は、第１の光Ｒ１の反射光Ｒ１’の反射角と異なる反射角を有する第１の光Ｒ１の反射光Ｒ１’’（直接反射光）を受光部１６に反射させないこともできる。このような場合、生体情報検出器の検出精度はさらに向上する。なお、図１３に示されるように、第１の光Ｒ１の反射光Ｒ１’は、被検査体の内部にある被検出部位Ｏが起点となるので、第１の光Ｒ１の反射光Ｒ１’の反射角（被検査体の表面ＳＡに垂直な直線を基準にした反射角）は、概して小さい。一方、第１の光Ｒ１の反射光Ｒ１’’は、被検査体の表面ＳＡが起点となるので、第１の光Ｒの反射光Ｒ１’’の反射角は、概して大きい。
【００６８】
ところで、特許文献１の図１６は、反射部１３１を開示し、特許文献１の段落［００４６］、［００５９］、［００７７］によれば、反射部１３１は、拡散反射構造を有し、反射率を向上させることによって受光部１２の効率を高める。しかしながら、本出願時において、当業者は、特許文献１の反射部１３１では、直接反射光（広義には、ノイズ）も受光部１２に反射させてしまうことを認識していない。言い換えれば、本発明者らは、直接反射光に起因するノイズ成分を受光信号から低減させることによって受光部の効率を高めることを認識した。言い換えれば、本発明者らは、第２の反射部１８が鏡面反射構造を有する場合、生体情報検出器の検出精度がさらに向上することを認識した。
【００６９】
図１４は、図１３等の第２の反射部１８の設定位置と受光部１６での受光量との関係図である。図１４に示されるように、受光部１６の受光面と球面を規定する円弧の中心Ｃとの距離Δｈが大きくなるにつれて、被検査体の表面ＳＡでの直接反射光（広義には、例えば反射光Ｒ１’’に対応するノイズ）は減少する一方、被検出部位Ｏでの反射光（広義には、例えば反射光Ｒ１’に対応する生体情報）は増加して減少する。そこで、Δｈの位置を最適化することができる。第２の反射部１８の反射面が放物面である場合、受光部１６の受光面と放物面を規定する放物線の焦点Ｆとの距離も、最適化することができる。
【００７０】
２．  生体情報測定装置
図１５（Ａ）、図１５（Ｂ）は、図１等の生体情報検出器を含む生体情報測定装置の外観例である。図１５（Ａ）に示されるように、例えば図１の生体情報検出器は、生体情報検出器を被検査体（ユーザー）の腕（狭義には、手首）に取り付け可能なリストバンド１５０をさらに含むことができる。図１５（Ａ）の例において、生体情報は、脈拍数であり、例えば「７２」が示されている。また、生体情報検出器は、腕時計に組み込まれ、時刻（例えば、午前８時１５分）が示されている。また、図１５（Ｂ）に示されるように、腕時計の裏蓋に開口部が設けられ、開口部に例えば図１の保護部１９が露出する。図１５（Ｂ）の例において、第２の反射部１８及び受光部１６は、腕時計に組み込まれている。図１５（Ｂ）の例において、第１の反射部９２、発光部１４、リストバンド１５０等は、省略されている。
【００７１】
図１６は、生体情報測定装置の構成例を示す。生体情報測定装置は、図１等の生体情報検出器と、生体情報検出器の受光部１６において生成される受光信号から生体情報を測定する生体情報測定部とを含む。図１６に示すように、生体情報検出器は、発光部１４と受光部１６と発光部１４の制御回路１６１とを有することができる。生体情報検出器は、受光部１６の受光信号の増幅回路１６２をさらに有することができる。また、生体情報測定部は、受光部１６の受光信号をＡ／Ｄ変換するＡ／Ｄ変換回路１６３と脈拍数を算出する脈拍数算出回路１６４とを有することができる。生体情報測定部は、脈拍数を表示する表示部１６５をさらに有することができる。
【００７２】
生体情報検出器は、加速度検出部１６６を有することができ、生体情報測定部は、加速度検出部１６６の受光信号をＡ／Ｄ変換するＡ／Ｄ変換回路１６７とデジタル信号を処理するデジタル信号処理回路１６８とをさらに有することができる。生体情報測定装置の構成例は、図１６によって限定されない。図１６の脈拍数算出回路１６４は、例えば生体情報検出器を組み込む電子機器のＭＰＵ（Ｍｉｃｒｏ  Ｐｒｏｃｅｓｓｉｎｇ  Ｕｎｉｔ）であってもよい。
【００７３】
図１６の制御回路１６１は、発光部１４を駆動する。制御回路１６１は、例えば、定電流回路であり、所与の電圧（例えば、６［Ｖ］）を保護抵抗を介して発光部１４に供給し、発光部１４に流れる電流を所与の値（例えば、２［ｍＡ］）に保つ。なお、制御回路１６１は、消費電流を低減するために、発光部１４を間欠的に（例えば、１２８［Ｈｚ］で）駆動することができる。制御回路１６１は、例えば図８のマザーボード８２に形成され、制御回路１６１と発光部１４との配線は、例えば、図１の基板１１に形成される。
【００７４】
図１６の増幅回路１６２は、受光部１６において生成される受光信号（電流）から直流成分を除去し、交流成分だけを抽出し、その交流成分を増幅して、交流信号を生成することができる。増幅回路１６２は、例えばハイパスフィルターで所与の周波数以下の直流成分を除去し、例えばオペアンプで交流成分をバッファーする。なお、受光信号は、脈動成分及び体動成分を含む。増幅回路１６２又は制御回路１６１は、受光部１６を例えば逆バイアスで動作させるための電源電圧を受光部１６に供給することができる。発光部１４が間欠的に駆動される場合、受光部１６の電源も間欠的に供給され、また交流成分も間欠的に増幅される。増幅回路１６２は、例えば図８のマザーボード８２に形成され、増幅回路１６２と受光部１６との配線は、例えば、図１の基板１１に形成される。また、増幅回路１６２は、ハイパスフィルターの前段で受光信号を増幅する増幅器を有してもよい。増幅回路１６２が増幅器を有する場合、増幅器は、例えば、図６の基板１１の端部１１−２に形成される。
【００７５】
図１６のＡ／Ｄ変換回路１６３は、増幅回路１６２において生成される交流信号をデジタル信号（第１のデジタル信号）に変換する。図１６の加速度検出部１６６は、例えば３軸（Ｘ軸、Ｙ軸及びＺ軸）の重力加速度を検出して、加速度信号を生成する。体（腕）の動き、従って生体情報測定装置の動きは、加速度信号に反映される。図１６のＡ／Ｄ変換回路１６７は、加速度検出部１６６において生成される加速度信号をデジタル信号（第２のデジタル信号）に変換する。
【００７６】
図１６のデジタル信号処理回路１６８は、第２のデジタル信号を用いて、第１のデジタル信号の体動成分を除去し又は低減させる。デジタル信号処理回路１６８は、例えば、ＦＩＲフィルター等の適応フィルターで構成することができる。デジタル信号処理回路１６８は、第１のデジタル信号及び第２のデジタル信号を適応フィルターに入力し、ノイズが除去又は低減されたフィルター出力信号を生成する。
【００７７】
図１６の脈拍数算出回路１６４は、フィルター出力信号を例えば高速フーリエ変換（広義には、拡散フーリエ変換）によって周波数解析する。脈拍数算出回路１６４は、周波数解析の結果に基づき脈動成分を表す周波数を特定し、脈拍数を算出する。
【００７８】
なお、上記のように本実施形態について詳細に説明したが、本発明の新規事項及び効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義又は同義な異なる用語と共に記載された用語は、明細書又は図面のいかなる箇所においても、その異なる用語に置き換えることができる。
【符号の説明】
【００７９】
１１  基板、  １１−１  光透過膜、  １１−２  端部、  １４  発光部、
１４Ａ  第１の発光面、１４Ｂ  第２の発光面、  １６  受光部、
１８  反射部（第２の反射部）、  １９  保護部、
１９−１  赤外線カットフィルター、  ６１，６２，６３，６４  配線、
６１−１，６３−１，６４−１  ボンディングワイヤ、  ８２  マザーボード、
８４  コネクター、  ９２  反射部（第１の反射部）、  ９２−１  支持部、
９２−２  内壁面（第１の反射面）、  ９２−３  頂面（第２の反射面）、
９２−４  鏡面部、  １５０  リストバンド、  １６１  制御回路、
１６２  増幅回路、  １６３，１６７  Ａ／Ｄ変換回路、  １６４  脈拍数算出回路、
１６５  表示部、  １６６  加速度検出部、１６８  デジタル信号処理回路、
Ｃ  球面を規定する円弧の中心、  Ｆ  放物面を規定する放物線の焦点、
Ｏ  被検出部位、  Ｒ１  第１の光、  Ｒ２  第２の光、
Ｒ１’，Ｒ２’  反射光（有効光）、  Ｒ１’’  直接反射光（無効光）、
ＳＡ  被検査体の表面、  Ｗ１  第１の反射部の長さの最大値、
Ｗ２  受光部の長さの最大値、  Δｈ  距離、  Δｈ０，Δｈ１  高さ、
Δｈ２，Δｈ２’  隙間
【図１】
0005581696.tif 000002
【図２】
0005581696.tif 000003
【図３】
0005581696.tif 000004
【図４】
0005581696.tif 000005
【図５】
0005581696.tif 000006
【図６】
0005581696.tif 000007
【図７】
0005581696.tif 000008
【図８】
0005581696.tif 000009
【図９】
0005581696.tif 000010
【図１０】
0005581696.tif 000011
【図１１】
0005581696.tif 000012
【図１２】
0005581696.tif 000013
【図１３】
0005581696.tif 000014
【図１４】
0005581696.tif 000015
【図１５】
0005581696.tif 000016
【図１６】
0005581696.tif 000017